(57)【要約】【課題】火災受信機の電源をＯＦＦにするときの作業時間を短縮することができる火災受信機を提供する。【解決手段】伝送線を介して接続された火災感知器からの火災信号に基づいて火災報知処理を行う火災受信機１であって、商用電源を制御電源に変換して火災受信機１内の回路に供給する電源回路２２と、電池３０と、電源回路２２への商用電源の供給が停止された場合に、電池３０と火災受信機１内の回路とを接続する接続回路３２と、電池３０の電圧を分圧する分圧回路３４を介して入力される電池３０の電圧を監視し、電池３０の電圧が閾値を下回った場合に、接続回路３２を遮断する電池監視回路３５と、分圧回路３４の入力側と電池監視回路３５とを接続する経路を短絡させる監視回路用スイッチ３６と、を備えた火災受信機１。【選択図】図２
2016224928.tif 000002
【特許請求の範囲】
【請求項１】
伝送線を介して接続された火災感知器からの火災信号に基づいて火災報知処理を行う火災受信機であって、
商用電源を制御電源に変換して前記火災受信機内の回路に供給する電源回路と、
電池と、
前記電源回路への前記商用電源の供給が停止された場合に、前記電池と前記火災受信機内の回路とを接続する接続回路と、
前記電池の電圧を分圧する分圧回路を介して入力される前記電池の電圧を監視し、前記電池の電圧が閾値を下回った場合に、前記接続回路を遮断する電池監視回路と、
前記分圧回路の入力側と前記電池監視回路とを接続する経路を短絡させる監視回路用スイッチと、を備えた
ことを特徴とする火災受信機。
【請求項２】
前記商用電源から前記電源回路への電力の供給及び供給停止を設定する電源用スイッチを備えた
ことを特徴とする請求項１記載の火災受信機。
【発明の詳細な説明】
【技術分野】
【０００１】
本発明は、予備電源として電池を備えた火災受信機に関する。
【背景技術】
【０００２】
従来、火災感知器からの火災検出信号に基づいて火災発報処理を行う火災受信機として、商用交流電源から電力を制御回路に供給する電源回路部と、予備電源としてのバッテリーを備えた火災受信機が提案されている（例えば、特許文献１参照）。
【先行技術文献】
【特許文献】
【０００３】
【特許文献１】特開２００２−１０９６５１号公報（第５頁、第６頁）
【発明の概要】
【発明が解決しようとする課題】
【０００４】
火災受信機の定期点検や部品交換を行うときには、火災受信機内の回路への電源供給を絶って火災受信機をシャットダウンさせる必要がある。上記特許文献１に記載の火災受信機では、火災受信機内の回路への電源供給を絶つためには、商用交流電源と電源回路部とを接続する電源スイッチをＯＦＦにし、さらに、バッテリーを取り外す必要がある。しかし、バッテリー（電池）を取り外す作業は、接続線プラグのプラスとマイナスが短絡しないように十分注意しながらプラグを取り外し、取り外したプラグに絶縁テープを巻いて保護する必要があり、手間がかかっていた。また、バッテリー（電池）の短絡が生じないように取り外し作業を行うために作業者に大きな負担がかかっていた。
【０００５】
本発明は、上記のような課題を背景としてなされたものであり、火災受信機内の回路への電源供給を絶つときの作業時間を短縮することができる火災受信機を提供するものである。
【課題を解決するための手段】
【０００６】
本発明の火災受信機は、伝送線を介して接続された火災感知器からの火災信号に基づいて火災報知処理を行う火災受信機であって、商用電源を制御電源に変換して前記火災受信機内の回路に供給する電源回路と、電池と、前記電源回路への前記商用電源の供給が停止された場合に、前記電池と前記火災受信機内の回路とを接続する接続回路と、前記電池の電圧を分圧する分圧回路を介して入力される前記電池の電圧を監視し、前記電池の電圧が閾値を下回った場合に、前記接続回路を遮断する電池監視回路と、前記分圧回路の入力側と前記電池監視回路とを接続する経路を短絡させる監視回路用スイッチと、を備えたものである。
【発明の効果】
【０００７】
本発明の火災受信機は、火災受信機内の回路への電源供給を絶つときに電池を取り外す必要がない。このため、火火災受信機内の回路への電源供給を絶つときの作業時間を従来よりも短縮することができ、また、電池の短絡を防止できる。
【図面の簡単な説明】
【０００８】
【図１】実施の形態に係る火災受信機の概略構成図である。
【図２】実施の形態に係る火災受信機の電源回路基板の回路構成図である。
【発明を実施するための形態】
【０００９】
本発明に係る火災受信機の実施の形態を、図面に基づいて説明する。なお、以下に示す図面の形態によって本発明が限定されるものではない。
【００１０】
実施の形態．
図１は、実施の形態に係る火災受信機の概略構成図である。火災受信機１は、伝送線１０を介して、火災感知器１１、警報装置１２、及び防排煙装置１３と接続されている。火災感知器１１は、熱、煙、赤外線放射、紫外線放射、燃焼ガス等の火災に起因する物理現象を検出し、火災信号を出力する。警報装置１２は、火災受信機１からの信号に基づいて音響警報や視覚的な警報を出力する装置であり、例えば、ベル、スピーカ、フラッシュライト等である。防排煙装置１３は、火災受信機１からの信号に基づいて煙や炎を防ぐ装置であり、例えば、防火扉、シャッター等である。なお、伝送線１０には、火災受信機１と他の機器との間に介在して信号を中継する中継器が設けられる場合もある。
【００１１】
火災受信機１は、伝送線１０を介して火災信号を受信すると火災発報処理を行う。火災受信機１は、操作入力装置２、表示装置３、印刷装置４、伝送装置５、通信装置６、制御装置７、及び電源回路基板２０を備えている。操作入力装置２は、例えばタッチパネル、ハードウェアスイッチ、ボタン等の使用者からの操作入力を受け付ける装置である。表示装置３は、火災感知器１１が感知した火災に関する情報、複数の火災感知器１１の状態を示す情報等を表示する。表示装置３は、例えば、液晶表示画面やランプ等を備える。印刷装置４は、火災発報情報を印字する装置である。伝送装置５は、伝送線１０を介して信号を送受信する通信インタフェースである。通信装置６は、パーソナルコンピュータ、専用端末、表示機等の外部機器と信号を送受信する通信インタフェースである。
【００１２】
制御装置７は、火災受信機１全体の動作を制御する。制御装置７は、例えばマイコンや制御回路で構成される演算部と、演算部を動作させるためのプログラム及び演算部の演算処理に用いられるデータを保持する記憶部とを有する。また、制御装置７は、火災発報処理を司る。ここで火災発報処理は、火災の発生を使用者に知らせる処理の総称であり、警報装置１２に警報を出力させる処理、防排煙装置１３を動作させる処理、及び表示装置３に火災を検出した火災感知器１１の識別情報や設置場所等の情報を表示させる処理を含む。火災受信機１からの発報処理に係る信号を受信した警報装置１２及び防排煙装置１３は、予め定められた動作を行う。
【００１３】
電源回路基板２０は、商用交流電源からの電力供給を受け、火災受信機１内の操作入力装置２、表示装置３、印刷装置４、伝送装置５、制御装置７、及び通信装置６で使用する電源、及び火災感知器１１、警報装置１２、及び防排煙装置１３等の外部接続機器で使用する電源を作り出す。
【００１４】
図２は、実施の形態に係る火災受信機の電源回路基板の回路構成図である。電源回路基板２０は、商用交流電源と接続される端子台２１と、交流電源を整流して直流電源を出力する整流回路を有し直流電源を制御電源として火災受信機１内の回路に供給する電源回路２２と、端子台２１と電源回路２２とを接続する回路上に設けられ、端子台２１と電源回路２２とを結ぶ回路を接続又は遮断する商用電源用スイッチ２３とを備える。商用電源用スイッチ２３はオルタネートスイッチであり、使用者が商用電源用スイッチ２３をＯＮ／ＯＦＦすることで、商用交流電源から電源回路２２への電源の供給／供給停止を切り替えることができる。直流電源を出力する電源回路２２の出力側は、電源切替リレー２４を介してコネクタ２５及び端子台２６に接続されている。電源回路２２から出力される直流電源は、コネクタ２５を介して、火災受信機１の内部用の回路（例えば操作入力装置２等の電源基板）に供給される。また、本実施の形態では、電源２２からの直流電源は、端子台２６を介して火災感知器１１等の外部接続機器に外部接続機器用電源として供給される。なお、火災感知器１１等の外部接続機器へは、火災受信機１から電源を供給しない構成とすることもできる。
【００１５】
電源回路２２の出力側には、電源回路２２の電圧を抵抗分割により分圧する分圧回路２７を介して電源監視回路２８が接続されている。電源監視回路２８は、分圧回路２７を介して入力される電圧をコンパレータ等により監視して第１閾値と比較し、比較結果に応じて電源切替リレー２４の接続状態を切り替える。この電源監視回路２８は、電源回路２２からの電圧が第１閾値以上であれば電源回路２２の出力側とコネクタ２５及び端子台２６とを接続するように電源切替リレー２４を制御する。商用交流電源に停電が生じた場合等、電源監視回路２８に入力される電圧が第１閾値を下回ると、電源監視回路２８は電源切替リレー２４の接点を切り替えて、予備電源としての電池３０の出力側の回路とコネクタ２５及び端子台２６とを接続する。
【００１６】
予備電源としての電池３０は、電源回路基板２０に設けられた端子台３１に接続される。電池３０の端子台３１の出力側は、接続回路３２及び電源切替リレー２４を介してコネクタ２５及び端子台２６に接続されている。
【００１７】
電池３０の出力側には、電源切替リレー２４よりも下流側に、電池３０の電圧を抵抗分割により分圧する分圧回路３４を介して電池監視回路３５が設けられている。電池監視回路３５は、分圧回路３４を介して入力される電圧をコンパレータ等により監視して第２閾値と比較し、比較結果に応じて接続回路３２に設けられたリレー３３の接続状態を切り替える。この電池監視回路３５は、電池３０の電圧が第２閾値を下回ると、電池３０の出力側の接続回路３２に設けられたリレー３３をＯＦＦして電池３０を接続回路３２から切り離し、火災受信機１への電源供給をＯＦＦする。なお、電池３０の電圧の第２閾値は、火災受信機１の動作保証電圧とすることができ、例えば２０．４Ｖである。電池監視回路３５は、例えば停電により電池３０から火災受信機１内部の電源基板等に電源が供給されているときに、電池３０の電圧を監視し、電池３０の電圧が第２閾値を下回ると電池３０を接続回路３２から切り離して火災受信機１をシャットダウンさせる目的で設けられている。
【００１８】
さらに本実施の形態では、分圧回路３４と電池監視回路３５とを接続する経路を短絡させる監視回路用スイッチ３６を備える。監視回路用スイッチ３６は常時ＯＦＦ状態で、押下されると接点をＯＮするタクトスイッチ等のモーメンタリスイッチである。監視回路用スイッチ３６がＯＮすると、分圧回路３４と電池監視回路３５とを接続する経路が短絡する。そうすると、電池監視回路３５は、電池３０の電圧が第２閾値を下回ったときと同じ状態を検出するため、リレー３３をＯＦＦして電池３０を接続回路３２から切り離す。
【００１９】
定期点検や部品交換等のために火災受信機１内の回路への電源供給を絶つ場合の、作業者の操作手順及び電源回路基板２０の動作を説明する。通常時は、商用交流電源から電源回路２２に電源が供給されており、電源切替リレー２４は電源回路２２の出力側に接続されている状態である。このような状態において、作業者はまず、商用電源用スイッチ２３をＯＦＦする。このようにすると、商用交流電源からの電源供給が停止され、電源回路２２からの電圧が第１閾値を下回ったことを電源監視回路２８が検出し、電源監視回路２８は電源切替リレー２４の接点を電池３０の出力側に切り替える。
【００２０】
このとき、電池３０の出力側のリレー３３はＯＮ状態であり、電池３０の電圧が分圧回路３４を介して電池監視回路３５に入力されている。
【００２１】
次に、作業者は、監視回路用スイッチ３６をＯＮする。そうすると、電池監視回路３５へ入力される電圧が０Ｖになって第２閾値を下回り、電池監視回路３５はリレー３３をＯＦＦする。リレー３３がＯＦＦになると、電池３０が接続回路３２から切り離されて電池３０からコネクタ２５及び端子台２６への電源供給が停止される。すなわち、本実施の形態では、監視回路用スイッチ３６をＯＮすることで、電池電圧が第２閾値を下回ったときと同じ状態を擬似的に生じさせ、電池電圧を監視する電池監視回路３５を利用して電池３０からの電源供給を停止させるのである。
【００２２】
このように本実施の形態によれば、作業者は、商用電源用スイッチ２３を押してＯＦＦし、さらに監視回路用スイッチ３６を押すだけで、火災受信機１内の回路への電源供給を停止させることができる。従来のように電池３０の接続線プラグを取り外し、取り外したプラグに絶縁テープを巻いて保護する作業と比較して、作業時間を大幅に短縮することができるとともに、電池３０の短絡を生じさせることもない。
【００２３】
ここで、電池３０からの電源供給を停止する他の手段として、商用交流電源の出力側に設けた商用電源用スイッチ２３と同様に、電池３０の出力側の接続をＯＮ／ＯＦＦするスイッチを設けることも考えられる。しかし、商用交流電源の電流（例えば約３Ａ）と比較すると一般に電池３０の使用電流（例えば約１２Ａ〜１５Ａ）は大きいため、その電流に耐えうるスイッチは形状が大きく、かつ高価である。そのようなスイッチを設けると、電源回路基板のサイズが大きくなり、また製造コストも上昇してしまう。一方、本実施の形態では、電池３０の電圧を抵抗分割により分圧して電池監視回路３５に入力する分圧回路３４を利用して監視回路用スイッチ３６を設けているので、監視回路用スイッチ３６は電池３０の使用電流に耐えうるようなスイッチと比較して小さなスイッチで実現することができる。このため、電源回路基板２０のサイズの大型化を防ぎ、また製造コストの上昇を抑えることができる。
【符号の説明】
【００２４】
１  火災受信機、２  操作入力装置、３  表示装置、４  印刷装置、５  伝送装置、６  通信装置、７  制御装置、１０  伝送線、１１  火災感知器、１２  警報装置、１３  防排煙装置、２０  電源回路基板、２１  端子台、２２  電源回路、２３  商用電源用スイッチ、２４  電源切替リレー、２５  コネクタ、２６  端子台、２７  分圧回路、２８  電源監視回路、３０  電池、３１  端子台、３２  接続回路、３３  リレー、３４  分圧回路、３５  電池監視回路、３６  監視回路用スイッチ。
【図１】
2016224928.tif 000003
【図２】
2016224928.tif 000004